(57)【要約】【課題】  動画像データと音声データとが設定された電子機器のメニュー画面の、動画像データと音声データとのいずれか一方を変更する際に、変更後も動画像データと音声データとが適切な再生時間長で対応するように調整してメニュー画面データを変更することができるメニュー画面データ変更方法およびメニュー画面データ変更プログラムを提供する。【解決手段】  変更されたメニュー画面データの動画像データまたは音声データの再生時間長が変更前から変化したと判断されたときに、変更後の音声データの再生時間長を固定し、変更後の動画像データと音声データとの再生時間長の比率が変更前の比率と同じになるように変更後の動画像データの再生時間長を調整し、再生時間長が固定された音声データと再生時間長が調整された動画像データとを所定のタイミングで同期処理してメニュー画面データを変更する。【選択図】  図１
2008219492.tif 000002
【特許請求の範囲】
【請求項１】
データベースに記録された、動画像データ及び音声データを同期させて生成されたＧＵＩのためのメニュー画面データについての、メニュー画面データ変更方法において、
前記データベースから、前記動画像データまたは前記音声データのいずれかを取得してデータを変更し、
前記変更したデータの再生時間長と変更前の前記データの再生時間長とを比較して、前記変更したデータの再生時間長が前記変更前の前記データの再生時間長から変化したか否かを判定し、
前記変更したデータの再生時間長が前記変更前の前記データの再生時間長から変化したと判定したときには、前記変更したデータが音声データである場合には該音声データの再生時間長、また、前記変更したデータが動画像データである場合には、該動画像データに対応する音声データの再生時間長を固定とし、前記変更後の動画像データ及び音声データの再生時間長の比率が、前記変更前の動画像データ及び音声データの再生時間長の比率と同じになるように前記変更後の動画像データの再生時間長を拡張または縮小することにより調整し、
前記再生時間長を固定した音声データと、前記再生時間長を調整した動画像データとを所定のタイミングで同期処理して前記メニュー画面データを変更し、
前記データベースに記録するようにした
ことを特徴とするメニュー画面データ変更方法。
【請求項２】
データベースに記録された、動画像データ及び音声データを同期させて生成されたＧＵＩのためのメニュー画面データについての、メニュー画面データ変更プログラムにおいて、
メニュー画面データ変更装置に、
前記データベースから、前記動画像データまたは前記音声データのいずれかを取得してデータを変更する機能と、
前記変更したデータの再生時間長と変更前の前記データの再生時間長とを比較して、前記変更したデータの再生時間長が前記変更前の前記データの再生時間長から変化したか否かを判定する機能と、
前記変更したデータの再生時間長が前記変更前の前記データの再生時間長から変化したと判定したときには、前記変更したデータが音声データである場合には該音声データの再生時間長、また、前記変更したデータが動画像データである場合には、該動画像データに対応する音声データの再生時間長を固定とし、前記変更後の動画像データ及び音声データの再生時間長の比率が、前記変更前の動画像データ及び音声データの再生時間長の比率と同じになるように前記変更後の動画像データの再生時間長を拡張または縮小することにより調整する機能と、
前記再生時間長を固定した音声データと、前記再生時間長を調整した動画像データとを所定のタイミングで同期処理して前記メニュー画面データを変更する機能と、
前記データベースに記録する機能と、
を実行させるためのメニュー画面データ変更プログラム。
【発明の詳細な説明】
【技術分野】
【０００１】
本発明は、組み込み電子機器において利用されるメニュー画面データを変更するためのメニュー画面データ変更方法およびメニュー画面データ変更プログラムに関する。
【背景技術】
【０００２】
従来、家電機器等に代表される電子機器には、メニュー画面を表示するためのＬＣＤ（Liquid Crystal Display）などのグラフィクス画面を備えるものが広く普及しており、この画面には、ユーザからの情報の入力およびユーザに提供する情報の出力を行うためのグラフィカル・ユーザ・インタフェース（以下、「ＧＵＩ」という。）が多く採用されている。
【０００３】
またこれらのＧＵＩが用いられた画面を備えた電子機器には、ユーザによるメニュー画面操作に対する反応や機器の状態などをユーザに知らせるために、さらに合成音声や報知音などの音声情報を用いる機能を備えるものも多い。
【０００４】
このようにＧＵＩが用いられた画面と音声情報とが用いられた電子機器には、画面に画像を表示する機能を有する描画エンジンと、音声情報を出力する機能を有する音声エンジンとがそれぞれライブラリ化されたソフトウェアが組み込まれ、さらにこれらを利用するアプリケーションソフトウェアとして生成されたメニュー画面が組み込まれることによりこれらの機能が実現される。
【０００５】
ところで、近年は電子機器の高機能化、および複雑化により、このような描画エンジンと音声エンジンとを利用するメニュー画面を生成する際に非常に手間がかかるようになってきている。
【０００６】
そのため、このようなメニュー画面の生成を補助するためのＧＵＩを利用したシステムが知られている（例えば、特許文献１〜３参照）。
【０００７】
特許文献１に記載のメニュー画面の編集システムは、ＧＵＩを利用して編集および設定した内容をメニューデータとして管理し、このメニューデータに基づきメニュー画面データおよび遷移制御プログラムを自動作成するものである。
【０００８】
また、特許文献２に記載のメニュー画面の編集システムは、メニュー画面におけるボタン等のＧＵＩ部品と、合成音声や報知音などの音声情報とを関連付けるための編集および設定用のＧＵＩを提供し、これらのＧＵＩにより編集したメニュー画面および対応する音声データに基づいてメニュー画面および音声制御プログラムを自動生成するものである。
【０００９】
これらの特許文献に記載された技術を用いることにより、ＧＵＩおよび音声情報を利用したメニュー画面を簡易に作成することが可能になる。
【００１０】
また、電子機器のメニュー画面には静止画像だけでなく、アニメーションなどの動画像やボタン等のＧＵＩ部品に対し、ユーザの操作に対応したアニメーション効果が表示されるように設定された動画像を用いたものも広く普及してきている。
【００１１】
このように動画像を利用したメニュー画面を作成するためには、動画像および音声の出力がそれぞれ適当なタイミングで開始、終了するように、動画像データや音声データの時間長を調整する必要がある。
【００１２】
そのためには、動画像データと音声データとを繰り返し再生し、それぞれのデータの適当な時間長を探り、動画像データと音声データとを適切に対応させるように調整する作業が必要であるが、この作業は非常に煩雑で手間がかかる。
【００１３】
これを解決するため、特許文献３には、動画像データおよび音声データの時間長を図形で表し、それぞれの図形の長さを適当な長さに調節することで、動画像データと音声データとを同期させて組み合わせる技術が記載されている。
【００１４】
この特許文献３等の従来の技術を用いて、動画像データと音声データとを用いた電子機器のメニュー画面を編集するメニュー画面データ生成装置の構成を、図６を参照して説明する。
【００１５】
図６に示す従来のメニュー画面データ生成装置１００は、データベース１１０と、入力部１２０と、音声・動画像データ同期処理部（以下、同期処理部）１３０と、組み込みコード生成部１４０とを有する。
【００１６】
データベース１１０は、メニュー画面で使用される動画像データおよび音声データと、これらの動画像データおよび音声データのサイズ等のメタデータとを記録する動画像・音声データ記録部１１１と、このメニュー画面データ生成装置１００により既に生成されたメニュー画面データを記録するメニュー画面データ記録部１１２とを有する。
【００１７】
入力部１２０は、ユーザがメニュー画面データ生成装置１００に対する操作指示を入力するための入力装置であり、マウス、ジョイスティック等のポインティングデバイスや、キーボードなどである。
【００１８】
同期処理部１３０は、入力部１２０から入力される操作指示に従ってデータベース１１０の動画像・音声データ記録部１１１から生成に使用する動画像データおよび音声データを取得し、この動画像データと音声データとが適切に対応する時間長で組み合わされるための同期処理を行う。
【００１９】
この同期処理は、特許文献３で記載されているような、図形で表現された動画像データおよび音声データの時間長を適当な長さに調節する方法などで行う。
【００２０】
組み込みコード生成部１４０は、同期処理部１３０で同期処理が行われた動画像データと音声データを電子機器に組み込むためのプログラムコードを生成する。
【００２１】
このメニュー画面データ生成装置１００を利用してメニュー画面が生成される際は、まずユーザにより入力部１２０からメニュー画面を生成する指示が入力され、この指示に従ってデータベース１１０の動画像・音声データ記録部１１１から生成に使用する動画像データおよび音声データが同期処理部１３０において取得されてこれらのデータが適切な時間長で対応するように同期処理が行われ、組み込みコード生成部１４０において動画像・音声データ記録部１１１のメタデータが利用されることにより同期処理が行われた動画像データと音声データを電子機器に組み込むためのプログラムコードが生成される。
【００２２】
生成されたプログラムコードは、メニュー画面データとしてデータベース１１０のメニュー画面データ記録部１１２に記録される。
【００２３】
このメニュー画面データ生成装置１００を利用することにより、動画像データおよび音声データを繰り返し再生することなく、適切に対応した時間長で組み合わせられたメニュー画面データを生成することができる。
【特許文献１】特開２００４−２４０６４４号公報
【特許文献２】特開平６−１５１７０４号公報
【特許文献３】特開２００２−１６８７２号公報
【発明の開示】
【発明が解決しようとする課題】
【００２４】
しかし、上記のメニュー画面データ生成装置１００において、同期処理された動画像データまたは音声データのいずれか一方の再生時間長を変更することが必要になったときに、同期処理されていた動画像データと音声データとが適切に対応した時間長で出力されなくなることがあった。
【００２５】
例えば、音声を聴きやすくするために音声データの速度を変更すると、音声データに対する動画像データの終了タイミングが変更前よりも早く、または遅くなり、音声データと動画像データとの出力が適切に対応しなくなる場合などである。
【００２６】
この場合に、変更後に動画像データと音声データとが適切に対応した時間長で出力されるようにするためにはこれらのデータを再度調整して同期処理をし直す必要があり、手間がかかるという問題があった。
【００２７】
本発明は、上記問題に鑑みてなされたものであり、動画像データと音声データとが設定された電子機器のメニュー画面の、動画像データと音声データとのいずれか一方を変更する際に、変更後も動画像データと音声データとが適切な再生時間長で対応するように調整してメニュー画面データを変更することができるメニュー画面データ変更方法およびメニュー画面データ変更プログラムを提供することである。
【課題を解決するための手段】
【００２８】
上記目的を達成するための本発明のメニュー画面データ変更方法は、データベース（１０）に記録された、動画像データ及び音声データを同期させて生成されたＧＵＩのためのメニュー画面データについてのメニュー画面データ変更方法であり、前記データベースから、前記動画像データまたは前記音声データのいずれかを取得してデータを変更し（Ｓ７，Ｓ８）、前記変更したデータの再生時間長と変更前の前記データの再生時間長とを比較して、前記変更したデータの再生時間長が前記変更前の前記データの再生時間長から変化したか否かを判定し（Ｓ９）、前記変更したデータの再生時間長が前記変更前の前記データの再生時間長から変化したと判定したときには、前記変更したデータが音声データである場合には該音声データの再生時間長、また、前記変更したデータが動画像データである場合には、該動画像データに対応する音声データの再生時間長を固定とし、前記変更後の動画像データ及び音声データの再生時間長の比率が、前記変更前の動画像データ及び音声データの再生時間長の比率と同じになるように前記変更後の動画像データの再生時間長を拡張または縮小することにより調整し（Ｓ１０，Ｓ１１，Ｓ１３）、前記再生時間長を固定した音声データと、前記再生時間長を調整した動画像データとを所定のタイミングで同期処理して前記メニュー画面データを変更し（Ｓ１２，Ｓ５）、前記データベースに記録する（Ｓ６）ようにしたことを特徴とする。
【００２９】
また、本発明のメニュー画面データ変更プログラムは、データベース（１０）に記録された、動画像データ及び音声データを同期させて生成されたＧＵＩのためのメニュー画面データについてのメニュー画面データ変更プログラムであり、メニュー画面データ変更装置（６０）に、前記データベースから、前記動画像データまたは前記音声データのいずれかを取得してデータを変更する（Ｓ７，Ｓ８）機能と、前記変更したデータの再生時間長と変更前の前記データの再生時間長とを比較して、前記変更したデータの再生時間長が前記変更前の前記データの再生時間長から変化したか否かを判定する（Ｓ９）機能と、前記変更したデータの再生時間長が前記変更前の前記データの再生時間長から変化したと判定したときには、前記変更したデータが音声データである場合には該音声データの再生時間長、また、前記変更したデータが動画像データである場合には、該動画像データに対応する音声データの再生時間長を固定とし、前記変更後の動画像データ及び音声データの再生時間長の比率が、前記変更前の動画像データ及び音声データの再生時間長の比率と同じになるように前記変更後の動画像データの再生時間長を拡張または縮小することにより調整する（Ｓ１０，Ｓ１１，Ｓ１３）機能と、前記再生時間長を固定した音声データと、前記再生時間長を調整した動画像データとを所定のタイミングで同期処理して前記メニュー画面データを変更する（Ｓ１２，Ｓ５）機能と、前記データベースに記録する（Ｓ６）機能とを実行させることを特徴とする。
【発明の効果】
【００３０】
本発明のメニュー画面データ変更方法およびメニュー画面データ変更プログラムによれば、動画像データと音声データとが設定された電子機器のメニュー画面の、動画像データと音声データとのいずれか一方を変更する際に、変更後も動画像データと音声データとが適切な再生時間長で対応するように調整してメニュー画面データを変更することができる。
【発明を実施するための最良の形態】
【００３１】
本発明の一実施形態であるメニュー画面データ変更方法を用いるメニュー画面データ変更部を備えたメニュー画面データ生成装置の構成を、図１を参照して説明する。
【００３２】
本実施形態によるメニュー画面データ生成装置１は、データベース１０と、入力部２０と、操作指示内容判定部３０と、第１動画像・音声同期処理部（以下、第１同期処理部）４０と、組み込みコード生成部５０と、メニュー画面データ変更部６０とを有する。
【００３３】
データベース１０は、メニュー画面で使用される動画像データおよび音声データと、これらの動画像データおよび音声データのサイズ等のメタデータとを記録する動画像・音声データ記録部１１と、このメニュー画面データ生成装置１により生成されたメニュー画面データを記録するメニュー画面データ記録部１２とを有する。
【００３４】
入力部２０は、ユーザがメニュー画面データ生成装置１に対する操作指示を入力するための入力装置であり、マウス、ジョイスティック等のポインティングデバイスや、キーボードなどである。
【００３５】
操作指示内容判定部３０は、入力部２０から入力された操作指示が、新たにメニュー画面データを作成するための作成指示か、既に作成されたメニュー画面データを変更するための変更指示かを判定する。
【００３６】
第１同期処理部４０は、入力部２０から新たにメニュー画面データを作成するための作成指示が入力されたときに、この作成指示に従ってデータベース１０の動画像・音声データ記録部１１から生成に使用する動画像データおよび音声データを取得し、この動画像データと音声データとが適切なタイミングで出力されるように組み合わせるための同期処理を行う。
【００３７】
組み込みコード生成部５０は、第１同期処理部４０または、後述するメニュー画面データ変更部６０の第２同期処理部６４で同期処理が行われた動画像データと音声データとを電子機器に組み込むためのプログラムコードを動画像・音声データ記録部１１に記録された動画像データおよび音声データのメタデータを利用して生成し、メニュー画面データとしてメニュー画面データ記録部１２に記録する。
【００３８】
メニュー画面データ変更部６０は、データ変更処理部６１と、時間長判定部６２と、時間長調整部６３と、第２動画像・音声同期処理部（以下、第２同期処理部）６４とを有する。
【００３９】
データ変更処理部６１は、既に作成されたメニュー画面データの動画像データまたは音声データのいずれか一方を変更するための変更指示が入力部２０から入力されたときにこの変更指示を取得し、この変更指示による変更対象の動画像データまたは音声データをデータベース１０の動画像・音声データ記録部１１から取得して変更指示に基づいて変更する。
【００４０】
時間長判定部６２は、データ変更処理部６１で変更された動画像データまたは音声データの再生時間長（以下、単に時間長と記す。）と、データベース１０の動画像・音声データ記録部１１に記録されている変更前の動画像データまたは音声データの時間長とを比較し、変更された動画像データまたは音声データの時間長が変更前の時間長と比べて変化したか否かを判定する。
【００４１】
時間長調整部６３は、時間長判定部６２において変更された動画像データまたは音声データの時間長が変更前と比べて変化したと判断されたときには、変更されたデータが動画像データであるか音声データであるかに関わらず、変更処理後における音声データの時間長を固定して、変更処理後の動画像データと音声データとの時間長の比率が変更前の同期処理された動画像データと音声データとの時間長の比率と同じになるように、変更処理後の動画像データの時間長を調整する。
【００４２】
第２同期処理部６４は、時間長が固定された音声データと、時間長調整部６３で時間長が調整された変更処理後の動画像データとを所定のタイミングで同期処理する。
【００４３】
次に、本実施形態によるメニュー画面データ生成装置の動作を、図２のフローチャートおよび図３〜図５の説明図を参照して説明する。
【００４４】
まず、ユーザの操作により入力部２０から入力された操作指示が取得されると（Ｓ１）、この操作指示の内容が、新たにメニュー画面データを作成するための作成指示であるかまたは、作成指示ではなく既に作成されたメニュー画面データを変更するための変更指示であるかが操作指示内容判定部３０において判定される（Ｓ２）。
【００４５】
判定の結果、作成指示が取得されたと判定されたときは（Ｓ２の「YES」）、この作成指示に従ってデータベース１０の動画像・音声データ記録部１１から生成に使用する動画像データおよび音声データが第１同期処理部４０において取得され（Ｓ３）、この動画像データと音声データとが適切なタイミング出力されるように組み合わせるための同期処理が行われる（Ｓ４）。
【００４６】
この同期処理には、例えば前記特許文献３に記載されているような、図形で表現された動画像データおよび音声データの時間長を適当な長さに調節する方法などを用いることができる。
【００４７】
次に、第１同期処理部４０で同期処理が行われた動画像データと音声データとを電子機器に組み込むためのプログラムコードが組み込みコード生成部５０において生成される（Ｓ５）。
【００４８】
生成された組み込みコードは、メニュー画面データとしてメニュー画面データ記録部１２に記録される（Ｓ６）。
【００４９】
一方、ステップＳ２において、作成指示ではなく、既に作成されたメニュー画面データの動画像データまたは音声データのいずれか一方を変更するための変更指示が取得されたと判定されたときには（Ｓ２の「NO」）、この変更指示がデータ変更処理部６１を介してデータベース１０のメニュー画面データ記録部１２に送出され、該当するメニュー画面データで使用されている変更対象の動画像データまたは音声データの情報が動画像・音声データ記録部１１に送出されることにより変更対象の動画像データまたは音声データがデータ変更処理部６１に送出され取得される（Ｓ７）。
【００５０】
本実施形態においては、時間長１．０秒の音声データＡと時間長０．８秒の動画像データＡとが同期処理されメニュー画面データ記録部１２に記録されたメニュー画面データの、音声データＡを時間長が０．５秒の音声データＢに変更する変更指示が取得されたものとし、動画像・音声データ記録部１１から変更対象の音声データＡが送出されデータ変更処理部６１で取得される。
【００５１】
次に、データ変更処理部６１において、取得された変更指示に基づいて音声データＡの変更処理が行われる（Ｓ８）。
【００５２】
ここでは、変更指示に基づいて、図３（ａ）に示すような変更対象の時間長１．０秒の音声データＡが、図３（ｂ）に示すような時間長０．５秒の音声データＢに変更される処理が行われる。
【００５３】
次に、変更された動画像データまたは音声データの時間長が、変更前の時間長と比べて変化したか否かが時間長判定部６２において判定される（Ｓ９）。
【００５４】
本実施形態においては変更前の音声データＡの時間長が１．０秒であり変更後の音声データＢの時間長が０．５秒であるため、時間長判定部６２において時間長が変化したと判定される（Ｓ９の「YES」）。
【００５５】
ステップＳ９において時間長が変化したと判定されたときは、変更されたデータが動画像データであるか音声データであるか判定される（Ｓ１０）。
【００５６】
本実施形態においては音声データが変更されており（Ｓ１０の「YES」）、変更処理後における音声データＢの時間長を固定して、変更処理後の動画像データと音声データとの時間長の比率が変更前の同期処理された動画像データＡと音声データＡとの時間長の比率と同じになるように、変更処理後の動画像データの時間長が時間長調整部６３において調整される（Ｓ１１）。
【００５７】
これは、音声データは画面切り替えや機器の状態提示など注意を喚起するための聞き取りやすさを基に設計されているため、音声データの時間長は変えずに動画像データの時間長を拡張または縮小することで適切なメニュー画面データとして調整を行うためである。
【００５８】
ここでは、図３（ａ）に示すように、変更処理前の音声データＡの時間長である１．０秒と動画像データＡの時間長である０．８秒との比率は５：４であり、変更後も音声データの時間長と動画像データの時間長とが同じ比率になるようにするため、図３（ｂ）に示すように変更後の音声データＢの時間長０．５秒に対して動画像データＡが時間長０．４秒の動画像データＡ’に縮小されることで調整される。
【００５９】
時間長０．８秒の動画像データＡが時間長０．４秒の動画像データＡ’に縮小されるときの処理について、図４および図５を参照して説明する。
【００６０】
図４は縮小前の動画像データＡを構成する画像フレームを模式的に示す図である。ここで、動画像データＡは画像フレーム４０１〜４０８の８枚で構成されているものとする。
【００６１】
このように構成された動画像データＡが時間長０．４秒の動画像Ａ’に縮小されるときは、等間隔に画像フレーム４０２、４０４、４０６、４０８が間引かれて、図５に示すように画像フレーム４０１、４０３、４０５、４０７の４枚に削減される処理が行われる。
【００６２】
次に、ステップＳ８における変更処理後の音声データＢと、上記の処理により縮小された映像データＡ’とが適切なタイミング出力されるように組み合わせるための同期処理が第２同期処理部６４において行われる（Ｓ１２）。
【００６３】
次に、第２同期処理部６４で同期処理が行われた音声データＢと動画像データＡ’とを電子機器に組み込むためのプログラムコードが組み込みコード生成部５０において生成される（Ｓ５）。
【００６４】
生成された組み込みコードは、メニュー画面データとしてメニュー画面データ記録部１２に記録される（Ｓ６）。
【００６５】
ステップＳ１０において変更されたデータが音声データではなく（Ｓ１０の「NO」）動画像データであると判定されたときにも音声データの時間長は変更されず、変更後の動画像データの時間長が変更前の動画像データの時間長と同じ時間長に拡縮される（Ｓ１３）。
【００６６】
また、ステップＳ９において変更された動画像データまたは音声データの時間長が変更前の時間長と同じであるとき（Ｓ９の「NO」）は、ステップＳ１２に移り動画像データの時間長の調整は行われずに同期処理が行われ組み込みコードの生成および記録が行われる。
【００６７】
以上の本実施形態によれば、既に適切な時間長で動画像データと音声データとが組み合わせられ設定されたメニュー画面データの音声データまたは動画像データを時間長が異なるデータに変更するときに、変更後も適切な時間長になるように動画像データを調整し同期処理を行うことができ、ユーザの手間を大きく低減させることができる。
【００６８】
このようにメニュー画面データを変更可能とすることにより、電子機器に設定されたメニュー画面データの音声データを異なる言語に置き換えるときなどに、簡易な処理で行うことができる。
【００６９】
また、本実施形態においては、画像データの時間長を縮小する際に等間隔で画像フレームを間引くことで処理を行ったが、複数フレーム単位で同じ画像フレームが周期的に繰り返されるような動画像データの場合には、フレームを間引くことは行わず、複数フレーム単位の繰り返し回数を減らすことにより動画像データの時間長を低減させるようにしてもよい。
【００７０】
また、本実施形態においては、映像データの時間長を縮小する場合について説明したが、拡張する場合には逆の処理を行い、等間隔で画像フレームを挿入するかまたは、複数フレーム単位の繰り返し回数を増やすことで、動画像データの時間長を増加させることができる。
【００７１】
等間隔で画像フレームを挿入する場合は、挿入する画像フレームの画像データは、挿入する位置の直前または直後の画像フレームと同じ画像データにすればよい。
【００７２】
また、上記の実施形態のメニュー画面データ変更部の機能構成をプログラム化してコンピュータに組み込むことにより、当該コンピュータをメニュー画面データ変更部として機能させるメニュー画面データ変更プログラムを構築することも可能である。
【図面の簡単な説明】
【００７３】
【図１】本発明の一実施形態によるメニュー画面データ変更方法を用いるメニュー画面データ生成装置の構成を示すブロック図である。
【図２】本発明の一実施形態によるメニュー画面データ変更方法を用いるメニュー画面データ生成装置の動作を示すフローチャートである。
【図３】本発明の一実施形態によるメニュー画面データ変更方法における変更前のメニュー画面データと変更後のメニュー画面データを示す模式図である。
【図４】本発明の一実施形態によるメニュー画面データ変更方法における変更前の動画像データの画像フレームを示す模式図である。
【図５】本発明の一実施形態によるメニュー画面データ変更方法における変更後の動画像データの画像フレームを示す模式図である。
【図６】従来のメニュー画面データ生成装置の構成を示すブロック図である。
【符号の説明】
【００７４】
１…メニュー画面データ生成装置
１０…データベース
１１…動画像・音声データ記録部
１２…メニュー画面データ記録部
２０…入力部
３０…操作指示内容判定部
４０…第１同期処理部
５０…組み込みコード生成部
６０…メニュー画面データ変更部
６１…データ変更処理部
６２…時間長判定部
６３…時間長調整部
６４…第２同期処理部
４０１〜４０８…画像フレーム
【図１】
2008219492.tif 000003
【図２】
2008219492.tif 000004
【図３】
2008219492.tif 000005
【図４】
2008219492.tif 000006
【図５】
2008219492.tif 000007
【図６】
2008219492.tif 000008